(57)【要約】【課題】スライド蝶番を用いた仏壇において、折戸の開放時に蝶番が目立つことのない、すっきりとした外観を呈する仏壇を提供する。【解決手段】仏壇本体１２の左右一対の側板１２ｂは、外側の側板１８ｂと、内側の側板２０ｂと、その間にスライド蝶番取付用の隙間２２が設けられた構造のものとして構成されており、スライド蝶番２８は、仏壇本体１２への取付側である座金部２８ａが仏壇本体１２の外側側板１８ｂの内表面に取り付けられており、折戸１６への取付側であるヒンジ部２８ｂが折戸１６の基部１６ａ側の内表面に取り付けられており、仏壇本体１２の内側側板２０ｂの前端部には、上下方向に伸びる回転軸を有し、仏壇本体１２の内側へ向けて回転させた時にはスライド蝶番２８の座金部２８ａを露出させ、仏壇本体１２の外方へ向けて回転させた時にはスライド蝶番２８の座金部２８ａを覆う縦桟１４が設けられていることを特徴とする。【選択図】図１
2011161155.tif 000002
【特許請求の範囲】
【請求項１】
前面が開口している箱状の仏壇本体と、前記仏壇本体の左右両側の側板のそれぞれにスライド蝶番を介して折り畳み開閉可能に配置される左右一対の折戸とを有する仏壇であって、
前記仏壇本体の左右一対の側板は、外側の側板と、内側の側板と、その間にスライド蝶番取付用の隙間が設けたられた構造であり、
前記スライド蝶番は、前記仏壇本体への取付側である座金部が前記仏壇本体の外側側板の内表面に取り付けられており、前記折戸への取付側であるヒンジ部が前記折戸の基部側の内表面に取り付けられており、
前記仏壇本体の内側側板の前端部には、上下方向に伸びる回転軸を有し、前記仏壇本体の内側へ向けて回転させた時には前記スライド蝶番の座金部を露出させ、前記仏壇本体の外方へ向けて回転させた時には前記スライド蝶番の座金部を覆う縦桟が設けられていることを特徴とする仏壇。
【請求項２】
前記左右一対の縦桟の間には、該縦桟を前記仏壇本体の外方へ向けて回転させた状態で固定する横桟が着脱可能に取り付けられていることを特徴とする請求項１に記載の仏壇。
【発明の詳細な説明】
【技術分野】
【０００１】
本発明は、仏壇本体と折戸とを連結している蝶番が見えることのないすっきりとした外観を呈する仏壇に関する。
【背景技術】
【０００２】
先祖を供養するための祭礼用具として、古くから仏壇が利用されている。仏壇は、一般に、前面が開口した箱状の仏壇本体と、仏壇本体の前面に取り付けられた左右一対の折戸とで構成されており、仏壇本体に仏像や位牌等が納められている。
【０００３】
仏壇は、通常仏間に安置されるが、居住スペースが狭いという昨今の日本の住宅事情を反映して、近年では仏壇をリビングに安置する家庭も増えてきた。
【０００４】
仏壇をリビングに安置する場合には、仏壇と周囲の家具との調和が求められるようになることから、いわゆる家具調の仏壇が登場し、多くの人に利用されている。
【０００５】
ところで、このような家具調の仏壇にあっては、上述したように周囲の家具との調和が強く求められることから、仏壇本体と折戸とを連結している蝶番についても目立たないような工夫を施すことが必要となってくる。
【０００６】
その一例として、例えば特許文献１には、蝶番が目立つという問題を解決するために特殊な形状の蝶番を使用することが提案されている。
【０００７】
しかし、従来技術の蝶番は、その一端を仏壇本体の側板の狭い前端面（木口面）に取り付けるようにしていたので取付面積を小さくせざるを得ず、その取付強度を十分に確保することができないという問題があった。また、従来技術の蝶番では、折戸を開放した際に折戸の外面が仏壇本体の側板よりも外方へ大きく突出してしまう。最近の住宅事情に応じて仏壇と家具とを密接した状態で設置せざるを得ない場合、折戸を開こうとすると隣接する家具と干渉して開くことができないという問題が生じる。さらに、折戸を開くことができた場合であっても、側板の木口面が露出して見苦しいという問題もある。
【０００８】
十分な取付強度を確保でき、折戸の外面が側板よりも外方に突出せず、しかも、折戸を開いたときに側板の木口面が露出しないようにする方法としては、いわゆるスライド蝶番を利用する方法が考えられる。スライド蝶番を使用すれば、スライド蝶番の仏壇本体への取付側である座金部が側板の内表面に取り付けられており、折戸への取付側であるヒンジ部が折戸の内表面に取り付けられており、その取付面積は十分広いので、スライド蝶番の取付強度を十分に確保することが可能である。また、折戸の開放時において折戸の外面が仏壇本体の側板よりも外方に大きく突出することはないので、仏壇と家具とを密接した状態で設置せざるを得ない場合であっても隣接する家具と干渉することなく折戸を開くことができる。さらに、折戸を開くと、この折戸が側板の木口面を隠すことになるので、仏壇の正面から見たときに側板の木口面が露出することもない。
【先行技術文献】
【特許文献】
【０００９】
【特許文献１】特開２００３−１６６３７２号公報（図４）
【発明の概要】
【発明が解決しようとする課題】
【００１０】
しかし、スライド蝶番は複雑な機構を有するため形状が大きく、その存在が目立ちやすい。スライド蝶番は、扉（折戸）や側板の内表面に取り付けられるものであるため、扉を閉じた状態では、その形状が外部から見えることはないが、仏壇のように扉（折戸）を常時開放して使用するものであれば、この形状の大きなスライド蝶番が仏壇の正面から見たときに目立って見栄えが悪く、特に厳かな雰囲気が必要な仏壇では大きな問題となる。
【００１１】
本願はこのような問題を解消するためになされたもので、折戸を閉じた場合はもちろん、開いた時にもスライド蝶番が目立つことのない、すっきりとした外観を呈する仏壇を提供することを目的とする。
【課題を解決するための手段】
【００１２】
請求項１に記載した発明は、「前面が開口している箱状の仏壇本体１２と、仏壇本体１２の左右両側の側板１２ｂのそれぞれにスライド蝶番２８を介して折り畳み開閉可能に配置される左右一対の折戸１６とを有する仏壇１０であって、仏壇本体１２の左右一対の側板１２ｂは、外側の側板１８ｂと、内側の側板２０ｂと、その間にスライド蝶番取付用の隙間２２が設けられた構造のものとして構成されており、スライド蝶番２８は、仏壇本体１２への取付側である座金部２８ａが仏壇本体１２の外側側板１８ｂの内表面に取り付けられており、折戸１６への取付側であるヒンジ部２８ｂが折戸１６の基部１６ａ側の内表面に取り付けられており、仏壇本体１２の内側側板２０ｂの前端部には、上下方向に伸びる回転軸を有し、仏壇本体１２の内側へ向けて回転させた時にはスライド蝶番２８の座金部２８ａを露出させ、仏壇本体１２の外方へ向けて回転させた時にはスライド蝶番２８の座金部２８ａを隠す縦桟１４が設けられている」ことを特徴とする仏壇１０である。
【００１３】
請求項２に記載した発明は、「左右一対の縦桟１４の間には、該縦桟１４を仏壇本体１２の外方へ向けて回転させた状態で固定する横桟３２が着脱可能に取り付けられていることを特徴とするものである。
【発明の効果】
【００１４】
これらの発明では、仏壇本体１２に対する折戸１６の取り付けに際して、周知構造のスライド蝶番２８を利用している。スライド蝶番２８の仏壇本体１２への取付側である座金部２８ａは、外側の側板１８ｂの内表面に取り付けられており、折戸１６への取付側であるヒンジ部２８ｂは折戸１６の内表面に取り付けられているので、その取付面積を十分に確保できる。また、スライド蝶番２８を使用することにより、折戸１６を開いた時に折戸１６の外面が仏壇本体１２の側板１２ｂよりも外方に突出することはないので、仏壇１０の設置スペースに余裕がなく、仏壇１０を家具と近接して置かざるを得ない場合であっても、仏壇１０の横に並設された家具によって折戸１６が開きにくくなるといった問題が生じることはない。さらに、折戸１６を開いた状態では、折戸１６によって側板１２の木口面が隠されるので、側板１２の木口面が露出することもない。
【００１５】
ここで、仏壇本体１２の内側の側板２０ｂの前端部には、仏壇本体１２の外側へ向けて回転させた時にスライド蝶番２８の仏壇本体１２への取付側である座金部２８ａを隠す縦桟１４が取り付けられているので、縦桟１４を仏壇本体１２の外側へ向けて回転させることによりスライド蝶番２８の座金部２８ａを覆い隠すことができる。
【００１６】
一方、スライド蝶番２８の折戸１６への取付側であるヒンジ部２８ｂが折戸１６の基部１６ａ側の内表面に取り付けられているので、折戸１６を折り畳むことによりスライド蝶番２８のヒンジ部２８ｂを覆い隠すことができる。
【００１７】
このように、折戸１６の開放時には、縦桟１４と折戸１６とでスライド蝶番２８を完全に覆い隠すことができるので、見た目にすっきりとした外観の仏壇１０を提供できる。
【００１８】
なお、長期間の使用によりスライド蝶番２８が緩んで調整が必要になった場合には、折り畳まれていた折戸１６を開くとともに、縦桟１４を仏壇本体１２の内側に向けて回転させればよい。こうすることで、スライド蝶番２８が外部に現れるので、その調整を簡単に行うことができるようになる。
【００１９】
請求項２に記載した発明のように、縦桟１４を仏壇本体１２の外側へ向けて回転させた状態で固定する横桟３２を、左右一対の縦桟１４の間に取り付けるようにすれば、縦桟１４が不所望に内側に開くのを防止できる。
【図面の簡単な説明】
【００２０】
【図１】この発明に係る仏壇を示す斜視図である。
【図２】仏壇の正面図（一部切り欠き）である。
【図３】図２におけるＡ−Ａ’断面図である。
【図４】折戸と縦桟を開いた状態を示す図である。
【図５】縦桟を示す斜視図である。
【図６】左右一対の縦桟の間に横桟を嵌め込んだ状態を示す図である。
【図７】図６におけるＢ−Ｂ’断面図である。
【図８】着脱手段を示す分解斜視図である。
【発明を実施するための形態】
【００２１】
以下、本発明を図面に従って説明する。図１は、本発明にかかる第１実施例の仏壇１０を示す斜視図であり、図２は、仏壇１０の正面図（一部切り欠き）であり、図３は、図２におけるＡ−Ａ’断面図である。
【００２２】
これらの図が示すように、本発明に係る仏壇１０は、仏壇本体１２、縦桟１４および左右一対の折戸１６により大略構成されている。
【００２３】
仏壇本体１２は、前面が開口した箱状の部材であり、外側筐体１８と内側筐体２０とで構成されている。
【００２４】
外側筐体１８は、前面が開口した箱状のもので、床板１８ａ、左右一対の側板１８ｂ、背板１８ｃおよび天板１８ｄを組み合わせることによって形成されている。外側筐体１８の大きさは、設置場所に応じて適宜設定される。
【００２５】
外側筐体１８を構成している各板材（床材１８ａ、側板１８ｂ、背板１８ｃならびに天板１８ｄ）は、合板、ＭＤＦ或いはパーティクルボード（ＰＢ）といった板状部材の表面に化粧材を貼り合わせることによって形成されている。
【００２６】
外側筐体１８の内部には、内側筐体２０が収容されている。内側筐体２０は、その外形が外側筐体１８よりも一回り小さく設定され、前面が開口した箱状のもので、床板２０ａ、左右一対の側板２０ｂ、背板２０ｃおよび天板２０ｄを組み合わせることによって形成されている。
【００２７】
ここで、内側筐体２０の側板２０ｂは、上述した外側筐体１８の側板１８ｂとの間に隙間２２を設けた状態で配設されている。なお、内側の側板２０ｂと外側の側板１８ｂとの間に設けられている隙間２２の幅は、後述するスライド蝶番２８の高さよりも大きめに設定されており、この隙間２２がスライド蝶番２８の取付スペースとして機能することになる。
【００２８】
内側筐体２０の天板２０ｄは、外側筐体１８の天板１８ｄとの間に隙間２６を設けた状態で配設されており、この隙間２６に灯具等の配線を収容することができるようになっている。
【００２９】
内側筐体２０を構成している各板材（床材２０ａ、側板２０ｂ、背板２０ｃならびに天板２０ｄ）は、合板、ＭＤＦ或いはパーティクルボード（ＰＢ）といった板状部材の表面に化粧材を貼り合わせることによって構成された板状のもので、本実施例では、外側筐体１８を構成している各板材と同じ材質のものが使用されている。
【００３０】
なお、本実施例では、内側筐体２０の床板２０ａと外側筐体１８の床板１８ａとを別部材として構成しているが、両部材を共用で使用するようにしてもよい。
【００３１】
各外側の側板１８ｂの前端部には、スライド蝶番２８を介して折戸１６が設けられている。
【００３２】
各折戸１６は、縦長に形成された２枚の折戸構成材１６ａ，１６ｂを左右に並べて配置するとともにこれらを蝶番３０（図４参照）で折り畳み可能に連結することによって構成されており、その幅方向の長さは、仏壇本体１２の開口部分の横幅の約半分の長さに設定されている。なお、蝶番３０は、各折戸１６を折り畳んだときに折戸構成材１６ａ，１６ｂの裏面同士が互いに対向するように各折戸構成材１６ａ，１６ｂの内表面に取り付けられている。
【００３３】
スライド蝶番２８は、家具などの扉を筐体に取り付ける際に一般に用いられる周知構造のもので、仏壇本体１２（より詳しく言うと、外側筐体１８の側板１８ｂ）への取付側である座金部２８ａと、折戸１６への取付側であるヒンジ部２８ｂとを有し、座金部２８ａとヒンジ部２８ｂとの連結部分が前後に移動するように構成されている。
【００３４】
スライド蝶番２８の座金部２８ａは、外側筐体１８の側板１８ｂの内表面に取り付けられており、ヒンジ部２８ｂは、折戸１６を構成している基部側の折戸構成材１６ａの内表面に取り付けられている。
【００３５】
なお、スライド蝶番２８にあっては、座金部２８ａを外側筐体１８の側板１８ｂの内表面に取り付けるとともに、ヒンジ部２８ｂを折戸構成材１６ａの内表面に取り付けることによって十分な取付面積を確保できるので、十分な取付強度を確保できる。
【００３６】
各内側の側板２０ｂの前端部には、隠し蝶番３１（図３参照）を介して縦桟１４が設けられている。
【００３７】
縦桟１４は、図５に示すような上下方向に延びる断面略Ｌ字状の棒状部材で、縦桟１４を内側の側板２０ｂに取り付けたときにスライド蝶番２８と対応する位置には、スライド蝶番２８の座金部２８ａとの干渉を防止するための溝１４ａがそれぞれ形成されている。
【００３８】
なお、縦桟１４と側板２０ｂとを連結している隠し蝶番３１が、縦桟１４において上下方向に伸びる「回転軸」として機能し、後述する縦桟１４の開閉動作を可能としている。
【００３９】
以上のように構成されている仏壇１０を使用する際には、まず、左右の折戸１６を開き、図３の点線で示したように折戸１６が完全に開いた状態にする。このとき、仏壇１０の前面開口部には、図３の点線で示したように、縦桟１４が仏壇本体１２の内側へ向けて回転した状態でその両側に現れている。
【００４０】
次に、各縦桟１４を仏壇本体１２の外側へ向けてそれぞれ回転させる。これにより、スライド蝶番２８の座金部２８ａが縦桟１４で覆われることになる。
【００４１】
なお、上述したように、縦桟１４には、スライド蝶番２８と対応する位置に溝１４ａが設けられているので、各縦桟１４を外側へ回転させたときに各縦桟１４がスライド蝶番２８と干渉することはない。
【００４２】
そして、最後に折戸１６を折り畳み、スライド蝶番２８のヒンジ部２８ｂを覆い隠す。
【００４３】
この実施例の仏壇１０によれば、仏壇本体１２の外側へ向けて回転させた時にはスライド蝶番２８の座金部２８ａを隠す縦桟１４が仏壇本体１２の内側側壁２０ｂの前端部に取り付けられているので、縦桟１４を閉じることによりスライド蝶番２８の座金部２８ａを覆い隠すことができる。また、スライド蝶番２８のヒンジ部２８ｂが折戸１６の基部１６ａ側の内表面に取り付けられているので、折戸１６を折り畳むことによりスライド蝶番２８のヒンジ部２８ｂを覆い隠すことができる。
【００４４】
一方、仏壇１０の長期間の使用によりスライド蝶番２８が緩んで調整が必要になった場合には、折り畳まれていた折戸１６を開くとともに、縦桟１４を仏壇本体１２の内側に向けて回転させればよい。こうすることで、スライド蝶番２８が外部に現れるので、その調整を簡単に行うことができるようになる。
【００４５】
なお、図６〜７に示すように、左右一対の縦桟１４の間に棒状の横桟３２を着脱可能に取り付けて、各縦桟１４を閉じた状態（仏壇本体１２の外側へ向けて回転させた状態）で保持するようにすれば、仏壇１０の使用時において縦桟１４が不所望に開く（内側に回転する）のを防止できる。
【００４６】
ここで、横桟３２の仏壇本体１２への取り付け手段としては、例えば、図８に示すような着脱手段３４を利用することができる。
【００４７】
着脱手段３４は、下方に突出する凸部３６ａを有する凸部材３６と、凸部３６ａが嵌合する凹部３８ａを有する凹部材３８とで構成されている。本実施例では、凸部材３６が内側筐体２０の天板２０ｄの上面にネジ止めされ、凹部材３８が横桟３２の内表面にネジ止めされている。したがって、横桟３２を左右一対の縦桟１４の間に押し込めば、横桟３２に取り付けられた凹部材３８と仏壇本体１２を構成している内側筐体２０の天板２０ｄに取り付けられた凸部材３６とが互いに嵌合して、横桟３２の仏壇本体１２への取り付けが完了する。
【００４８】
なお、図６に示すように、仏壇１０の正面から見たときに内側筐体２０の天板２０ｄが横桟３２で隠れるよう横桟３２の大きさならびに着脱手段３４の取付位置を適宜設定しておけば、隙間２６に収容した灯具等の配線を隠すことができるので、仏壇１０をよりすっきりとした外観のものとすることができる。
【符号の説明】
【００４９】
１０…仏壇
１２…仏壇本体
１４…縦桟
１６…折戸
１８…外側筐体
２０…内側筐体
２２…隙間
２６…隙間
２８…スライド蝶番
３２…横桟
３４…着脱手段
【図１】
2011161155.tif 000003
【図２】
2011161155.tif 000004
【図３】
2011161155.tif 000005
【図４】
2011161155.tif 000006
【図５】
2011161155.tif 000007
【図６】
2011161155.tif 000008
【図７】
2011161155.tif 000009
【図８】
2011161155.tif 000010